【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
入賞領域に遊技球が入賞すると、所定個の賞球が遊技者に払い出される遊技機であって、電源投入時に電源断直前の内容が保持されている保持データにもとづいて遊技状態を復帰させる遊技状態復帰制御を行うことが可能であり、
ＲＡＭを内蔵し、遊技進行を制御する遊技制御用マイクロコンピュータが搭載された遊技制御基板と、
ＲＡＭを内蔵し、入賞に応じて前記遊技制御用マイクロコンピュータから出力される賞球制御コマンドにもとづいて賞球払出制御を行う賞球制御用マイクロコンピュータが搭載された賞球制御基板と、
遊技機の電源断時に前記遊技制御用マイクロコンピュータおよび前記賞球制御用マイクロコンピュータのＲＡＭの記憶内容を保持させるためのバックアップ電源と、
遊技機に供給される電源を監視して、所定量の電圧低下を検出したときに検出信号を出力する電源監視手段とを備え、
前記電源監視手段は、前記検出信号を、前記遊技制御用マイクロコンピュータと前記賞球制御用マイクロコンピュータとに出力し、
前記遊技制御用マイクロコンピュータおよび前記賞球制御用マイクロコンピュータは、前記電源監視手段からの検出信号の入力に応じて、前記ＲＡＭの記憶内容を保持させるための電源断時処理を実行し、
前記賞球制御用マイクロコンピュータが電源断時処理を開始するタイミングを、前記遊技制御用マイクロコンピュータが電源断時処理を開始するタイミングよりも遅らせるための遅延時間を作成する遅延手段を備えた
ことを特徴とする遊技機。
【請求項２】
遊技制御基板および賞球制御基板とは別個に設けられ、遊技機で使用される電源電圧を作成する電源基板を備え、
前記遊技制御基板および前記賞球制御基板に検出信号を出力する共通の電源監視手段が前記電源基板に搭載されている
請求項１記載の遊技機。
【請求項３】
遅延時間は、少なくとも遊技制御用マイクロコンピュータから賞球制御用マイクロコンピュータに送信される賞球制御コマンドを賞球制御用マイクロコンピュータが受信可能な時間である
請求項１または請求項２記載の遊技機。
【請求項４】
遅延手段は、電源監視手段からの検出信号を遊技制御用マイクロコンピュータよりも遅延させて賞球制御用マイクロコンピュータに入力させる遅延回路である
請求項１から請求項３のうちのいずれかに記載の遊技機。
【請求項５】
遅延手段は、電源監視手段からの検出信号の入力に応じて賞球制御用マイクロコンピュータが遅延処理を開始するように構成されたソフトウェアである
請求項１から請求項３のうちのいずれかに記載の遊技機。
【請求項６】
電源監視手段からの検出信号は、賞球制御用マイクロコンピュータの割込端子に入力され、
賞球制御用マイクロコンピュータは、前記電源監視手段からの検出信号が前記割込端子に入力されたことにもとづく割込処理によって電源断時処理を実行する
請求項１から請求項５のうちのいずれかに記載の遊技機。
【請求項７】
電源監視手段からの検出信号は入力ポートに入力され、
賞球制御用マイクロコンピュータは、前記入力ポートに前記検出信号が入力されたことを検出したときに電源断時処理を実行する
請求項１から請求項５のうちのいずれかに記載の遊技機。
【請求項８】
賞球制御用マイクロコンピュータは、電源断時処理を実行した後、該賞球制御用マイクロコンピュータをホールト状態に設定する
請求項１から請求項７のうちのいずれかに記載の遊技機。
【請求項９】
電源監視手段と同一の電圧の電源を監視し、検出電圧が前記電源監視手段の検出電圧よりも低く、賞球制御用マイクロコンピュータが動作する電圧値であるときに電源電圧の電圧低下を検出する第２の電源監視手段を備え、
前記賞球制御用マイクロコンピュータは、前記第２の電源監視手段からの検出出力の入力に応じて動作停止状態とされる
請求項１から請求項８のうちのいずれかに記載の遊技機。
【請求項１０】
第２の電源監視手段は賞球制御基板に搭載されている
請求項９記載の遊技機。
【手続補正２】
【補正対象書類名】明細書
【補正対象項目名】００１１
【補正方法】変更
【補正の内容】
【００１１】
【課題を解決するための手段】
本発明による遊技機は、入賞領域に遊技球が入賞すると、所定個の賞球が遊技者に払い出される遊技機であって、電源投入時（遊技店員等によって人為的に遊技機に電源が投入されたときおよび停電からの復旧時等、電源が供給されていない状態から供給される状態になったときの全てを含む概念）に電源断直前の内容が保持されている保持データにもとづいて遊技状態を復帰させる遊技状態復帰制御を行うことが可能であり、ＲＡＭを内蔵し、遊技進行を制御する遊技制御用マイクロコンピュータが搭載された遊技制御基板と、ＲＡＭを内蔵し、入賞に応じて遊技制御用マイクロコンピュータから出力される賞球制御コマンドにもとづいて賞球払出制御を行う賞球制御用マイクロコンピュータが搭載された賞球制御基板と、遊技機の電源断時に遊技制御用マイクロコンピュータおよび賞球制御用マイクロコンピュータのＲＡＭの記憶内容を保持させるためのバックアップ電源と、遊技機に供給される電源を監視して、所定量の電圧低下を検出したときに検出信号を出力する電源監視手段とを備え、電源監視手段は、検出信号を、遊技制御用マイクロコンピュータと賞球制御用マイクロコンピュータとに出力し、遊技制御用マイクロコンピュータおよび賞球制御用マイクロコンピュータは、電源監視手段からの検出信号の入力に応じて、ＲＡＭの記憶内容を保持させるための電源断時処理を実行し、賞球制御用マイクロコンピュータが電源断時処理を開始するタイミングを、遊技制御用マイクロコンピュータが電源断時処理を開始するタイミングよりも遅らせるための遅延時間を作成する遅延手段を備えたことを特徴とする。なお、遊技結果価値とは、遊技球の払い出しや、画像式遊技機の場合の得点の加点を示す概念である。
【手続補正３】
【補正対象書類名】明細書
【補正対象項目名】００１２
【補正方法】変更
【補正の内容】
【００１２】
遊技制御基板および賞球制御基板とは別個に設けられ、遊技機で使用される電源電圧を作成する電源基板を備え、遊技制御基板および賞球制御基板に検出信号を出力する共通の電源監視手段が電源基板に搭載されているように構成されていてもよい。
【手続補正４】
【補正対象書類名】明細書
【補正対象項目名】００１３
【補正方法】変更
【補正の内容】
【００１３】
遅延時間は、少なくとも遊技制御用マイクロコンピュータから賞球制御用マイクロコンピュータに送信される賞球制御コマンドを賞球制御用マイクロコンピュータが受信可能な時間である。
【手続補正５】
【補正対象書類名】明細書
【補正対象項目名】００１４
【補正方法】変更
【補正の内容】
【００１４】
遅延手段は、例えば、電源監視手段からの検出信号を遊技制御用マイクロコンピュータよりも遅延させて賞球制御用マイクロコンピュータに入力させる遅延回路である。
【手続補正６】
【補正対象書類名】明細書
【補正対象項目名】００１５
【補正方法】変更
【補正の内容】
【００１５】
遅延手段は、例えば、電源監視手段からの検出信号の入力に応じて賞球制御用マイクロコンピュータが遅延処理を開始するように構成されたソフトウェアである。
【手続補正７】
【補正対象書類名】明細書
【補正対象項目名】００１６
【補正方法】変更
【補正の内容】
【００１６】
電源監視手段からの検出信号が、賞球制御用マイクロコンピュータの割込端子に入力され、賞球制御用マイクロコンピュータは、電源監視手段からの検出信号が割込端子に入力されたことにもとづく割込処理によって電源断時処理を実行するように構成されていてもよい。
【手続補正８】
【補正対象書類名】明細書
【補正対象項目名】００１７
【補正方法】変更
【補正の内容】
【００１７】
電源監視手段からの検出信号は入力ポートに入力され、賞球制御用マイクロコンピュータが、入力ポートに検出信号が入力されたことを検出したときに電源断時処理を実行するように構成されていてもよい。
【手続補正９】
【補正対象書類名】明細書
【補正対象項目名】００１８
【補正方法】変更
【補正の内容】
【００１８】
賞球制御用マイクロコンピュータが、電源断時処理を実行した後、該賞球制御用マイクロコンピュータをホールト状態に設定するようにしてもよい。
【手続補正１０】
【補正対象書類名】明細書
【補正対象項目名】００１９
【補正方法】変更
【補正の内容】
【００１９】
電源監視手段と同一の電圧の電源を監視し、検出電圧が電源監視手段の検出電圧よりも低く、賞球制御用マイクロコンピュータが動作する電圧値であるときに電源電圧の電圧低下を検出する第２の電源監視手段を備え、賞球制御用マイクロコンピュータが、第２の電源監視手段からの検出出力の入力に応じて動作停止状態とされるように構成されていてもよい。
【手続補正１１】
【補正対象書類名】明細書
【補正対象項目名】００２０
【補正方法】変更
【補正の内容】
【００２０】
第２の電源監視手段は賞球制御基板に搭載されている構成であってもよい。
【手続補正１２】
【補正対象書類名】明細書
【補正対象項目名】０１７３
【補正方法】変更
【補正の内容】
【０１７３】
【発明の効果】
以上のように、本発明によれば、遊技機を、遊技制御用マイクロコンピュータおよび賞球制御用マイクロコンピュータが、電源監視手段からの検出信号の入力に応じてＲＡＭの記憶内容を保持させるための電源断時処理を実行し、賞球制御用マイクロコンピュータが電源断時処理を開始するタイミングを、遊技制御用マイクロコンピュータが電源断時処理を開始するタイミングよりも遅らせるための遅延時間を作成する遅延手段を備えたと構成したので、停電等の不測の電源断が発生したときに必要なデータを保存して電源復旧時に電源断時の状態から遊技を再開できるように構成された場合に、遊技制御用マイクロコンピュータと賞球制御用マイクロコンピュータとの間でコマンドを確実に受け渡しして遊技者に不利益を与えることがないという効果がある。
【手続補正１３】
【補正対象書類名】明細書
【補正対象項目名】０１７４
【補正方法】変更
【補正の内容】
【０１７４】
遊技制御基板および賞球制御基板とは別個に設けられ、遊技機で使用される電源電圧を作成する電源基板を備え、遊技制御基板および賞球制御基板に検出信号を出力する共通の電源監視手段が電源基板に搭載されていることから、電源監視手段からの検出信号を必要とする複数の遊技装置制御基板に対して電源監視手段は１つ設けられていればよいので遊技機のコストはさほど上昇しない。
【手続補正１４】
【補正対象書類名】明細書
【補正対象項目名】０１７５
【補正方法】変更
【補正の内容】
【０１７５】
遅延時間が、少なくとも遊技制御用マイクロコンピュータから賞球制御用マイクロコンピュータに送信される賞球制御コマンドを賞球制御用マイクロコンピュータが受信可能な時間であることから、遊技制御用マイクロコンピュータと賞球制御用マイクロコンピュータとの間で賞球制御コマンドを常に確実に受け渡しすることができる。
【手続補正１５】
【補正対象書類名】明細書
【補正対象項目名】０１７６
【補正方法】変更
【補正の内容】
【０１７６】
遅延手段が、電源監視手段からの検出信号を遅延させて賞球制御用マイクロコンピュータに入力させる遅延回路であることから、ソフトウェアの負担を増大させることなく遅延手段を実現できる。
【手続補正１６】
【補正対象書類名】明細書
【補正対象項目名】０１７７
【補正方法】変更
【補正の内容】
【０１７７】
遅延手段が、電源監視手段からの検出信号の入力に応じて遅延を開始するように構成されたソフトウェアであることから、遅延手段を実現する際にハードウェアの増加はないので、コスト上昇させることなく遅延手段を実現できる。
【手続補正１７】
【補正対象書類名】明細書
【補正対象項目名】０１７８
【補正方法】変更
【補正の内容】
【０１７８】
電源監視手段からの検出信号が、賞球制御用マイクロコンピュータの割込端子に入力されていることから、割込処理によって電源断時処理を行うことが可能になり、検出信号監視制御を簡略に実現することができる。
【手続補正１８】
【補正対象書類名】明細書
【補正対象項目名】０１７９
【補正方法】変更
【補正の内容】
【０１７９】
電源監視手段からの検出信号が入力ポートに入力され、賞球制御用マイクロコンピュータが、入力ポートに検出信号が入力されたことを検出したときに電源断時処理を実行することから、割込を使用しなくてよいので、他の処理で割込を使用しているような場合に割込要因の解析等を行わなくてよく、割込処理が簡略化するという効果がある。
【手続補正１９】
【補正対象書類名】明細書
【補正対象項目名】０１８０
【補正方法】変更
【補正の内容】
【０１８０】
賞球制御用マイクロコンピュータが、電源断時処理を実行した後、賞球制御用マイクロコンピュータをホールト状態に設定することから、電源電圧が低下していくことに伴って生ずる可能性がある記憶手段の内容破壊等を確実に防止でき、電源断時に確実にデータを保存することができる。
【手続補正２０】
【補正対象書類名】明細書
【補正対象項目名】０１８１
【補正方法】変更
【補正の内容】
【０１８１】
電源監視手段と同一の電圧の電源を監視し、検出電圧が電源監視手段の検出電圧よりも低く、賞球制御用マイクロコンピュータが動作する電圧値であるときに電源電圧の電圧低下を検出する第２の電源監視手段を備え、賞球制御用マイクロコンピュータが、第２の電源監視手段からの検出信号の入力に応じて動作停止状態とされることから、マイクロコンピュータの動作が外部から停止されるので、電源断時により確実なデータ保存を行うことができる。
【手続補正２１】
【補正対象書類名】明細書
【補正対象項目名】０１８２
【補正方法】変更
【補正の内容】
【０１８２】
第２の電源監視手段が賞球制御基板に搭載されていることから、第２の電源監視手段が電源基板等の賞球制御基板とは別の基板に搭載されている場合に比べて、第２の電源監視手段からの検出信号をケーブル等を介して伝達する必要はなく、第２の電源監視手段からの検出信号が確実に賞球制御用マイクロコンピュータに伝達される効果がある。